(57)【要約】【課題】  来場者が撮影したコンテンツ及び購入したコンテンツを再生する際にアトラクションを訪れた順に再生したいという要望や来場者が撮影したコンテンツ及び購入したコンテンツを一括して記録し日記替わりに残したいという要望に応える情報記録再生装置を提供する。【解決手段】  光ディスク等のメモリを用いた携帯情報処理装置に対するコンテンツの記録再生に関してある事象（テーマパークのアトラクション等）に関係する複数のコンテンツが予め記録されている媒体の再生において、複数のコンテンツの再生順をユーザがその事象に出合った順とする。更に、ユーザが媒体に追記したコンテンツも予め記録されているコンテンツと同様にユーザがその事象に出合った順とする。また、各次章に設置された通信拠点と通信を行い、再生順ファイルを作成し、追記した場合も再生順ファイルに書き込む。【選択図】        図１
2005276392.tif 000002
【特許請求の範囲】
【請求項１】
複数のコンテンツが予め記録された情報記録媒体に対して情報を記録し或いは再生する情報記録再生装置であって、外部とデータの通信を行う通信手段と、前記通信手段により前記コンテンツに関連したデータを受信し、順次前記情報記録媒体の再生順ファイルに記録する記録モード、或いは、前記複数のコンテンツを再生する際に前記情報記録媒体の再生順ファイルに記録されたコンテンツに関連したデータ順にコンテンツの再生を行う再生モードとを備えたことを特徴とする情報記録再生装置。
【請求項２】
更に、前記情報記録媒体にコンテンツを追記する手段を含み、前記追記手段はコンテンツに関連したデータを前記情報記録媒体の再生順ファイルに順次記録し、前記複数のコンテンツ及び追記したコンテンツを再生する際に情報記録媒体の再生順ファイルに記録されたコンテンツに関連したデータ及び追記したコンテンツに関連したデータの順にコンテンツの再生を行うことを特徴とする請求項１に記載の情報記録再生装置。
【請求項３】
請求項１〜２のいずれか１項に記載の情報記録再生装置と、予め複数の位置に設置され、前記情報記録再生装置内の通信手段と通信する複数の通信手段と、前記複数の通信手段を管理し、前記情報記録再生装置との通信を制御する制御手段とを備え、前記情報記録再生装置と前記制御装置間で情報の通信を行う場合には、前記情報記録再生装置に製造時に付与されている装置ＩＤ情報、前記情報記録媒体に製造時に付与されている媒体ＩＤ情報、または前記情報記録媒体に後から付与された第２の媒体ＩＤ情報のいずれか１つのＩＤ情報又は１つ以上のＩＤ情報を用いて、通信時にコンテンツに関連したデータを送信するか否かの認証を行うことを特徴とする情報管理システム。
【発明の詳細な説明】
【技術分野】
【０００１】
本発明は、予め複数のコンテンツが記録されている情報記録媒体に情報を記録し或いは再生する情報記録再生装置及びそれを用いた情報管理システムに関し、特に、テーマパーク等で好適に使用可能な情報記録再生装置及びそれを用いた情報管理システムに関するものである。
【背景技術】
【０００２】
従来、テーマパーク等では複数のアトラクションがあり、来場者は思い思いにアトラクションを回っている。また、テーマパークを訪れた記念として、アトラクション毎に来場者が静止画や動画のコンテンツをカメラで撮影したり、テーマパークが発売しているアトラクションに関連したコンテンツを購入したりしている。そして、後日これらのコンテンツを思い思いに見たり、再生したりしている。これは、例えば、電子スチルカメラを用いて撮影している（特許文献１；特開昭５９−１８３５８２号公報）。
【特許文献１】特開昭５９−１８３５８２号公報
【発明の開示】
【発明が解決しようとする課題】
【０００３】
来場者が撮影したコンテンツ及び購入したコンテンツを再生する際に、アトラクションを訪れた順に再生したいという要望があった。また、来場者が撮影したコンテンツ及び、購入したコンテンツを一括して記録し日記替わりに残したいという要望があった。
【０００４】
本発明は、上記課題を解決することが可能な情報記録再生装置及びそれを用いた情報管理システムを提供することを目的とする。
【課題を解決するための手段】
【０００５】
本発明は、上記課題を解決するため、複数のコンテンツが予め記録された情報記録媒体に対して情報を記録し或いは再生する情報記録再生装置であって、外部とデータの通信を行う通信手段と、前記通信手段により前記コンテンツに関連したデータを受信し、順次前記情報記録媒体の再生順ファイルに記録する記録モード、或いは、前記複数のコンテンツを再生する際に前記情報記録媒体の再生順ファイルに記録されたコンテンツに関連したデータ順にコンテンツの再生を行う再生モードとを備えたことを特徴とする。
【０００６】
また、本発明は、上記情報記録再生装置と、予め複数の位置に設置され、前記情報記録再生装置内の通信手段と通信する複数の通信手段と、前記複数の通信手段を管理し、前記情報記録再生装置との通信を制御する制御手段とを備え、前記情報記録再生装置と前記制御装置間で情報の通信を行う場合には、前記情報記録再生装置に製造時に付与されている装置ＩＤ情報、前記情報記録媒体に製造時に付与されている媒体ＩＤ情報、または前記情報記録媒体に後から付与された第２の媒体ＩＤ情報のいずれか１つのＩＤ情報又は１つ以上のＩＤ情報を用いて、通信時にコンテンツに関連したデータを送信するか否かの認証を行うことを特徴とする。
【発明の効果】
【０００７】
本発明によれば、日時を経て、コンテンツを再生しても、その当日、どのような順でアトラクションを回ったかを知ることが出来、思い出となる。また、コンテンツの再生の際に、再生順ファイルに記録された情報、例えば、日時情報や天候情報等とコンテンツの再生と共に表示すれば、更に、その時の臨場感を得られやすい。
【０００８】
また、ＩＤ番号を用いて通信時にコンテンツに関連したデータを送信するか否かの認証を行うことによって、テーマパークで貸し出した情報記録再生装置にテーマパークで購入した情報記録媒体を装着したものに対してのみ、選択的にサービスを行えるという効果がある。
【０００９】
更に、通信手段によって受信して情報媒体の再生順ファイルに記録したコンテンツに関連したデータ及び追記したコンテンツに関連したデータの順にコンテンツの再生を行うことにより、予めアトラクション等のイベントに関連付けられて記録されているコンテンツと、ユーザが追記したコンテンツを日時情報に従って再生することで、ユーザのコンテンツだけでは得られないその場の特異な情報もユーザ固有の思い出の中に取り込め、思い出の度合いを増すことが出来る。
【発明を実施するための最良の形態】
【００１０】
次に、発明を実施するための最良の形態を図面を参照して詳細に説明する。図１は本発明による情報記録再生装置の一実施形態を示す構成図である。本実施形態では、図１に示すように装置本体１と、この装置本体１に接続された幾つかの外部装置とを有して構成されている。外部装置は外部画像入力装置２２と、外部音声入力装置２３と、外部制御装置２４と、外部メモリ２５と、外部モニタ用ＴＶ２７と、プリンタ２８等で構成されている。
【００１１】
装置本体１内には、各種情報の送受を行うバス２を有する。このバス２に、ＣＰＵ３と、内部メモリ４と、画像入力部６に接続されて静止画又は動画の画像情報を取り込みこの画像情報をデジタル信号または周波数変調したアナログ信号に変換する画像入力コントローラ５と、画像情報の圧縮回路及び伸張回路（圧縮伸張回路）９と、マイクロフォン１１に接続されて音声情報を取り込みこの音声情報をデジタル信号または周波数変調したアナログ信号に変換する音声入力コントローラ１０と、音声情報の圧縮回路及び伸張回路（圧縮伸張回路）１２と、外部制御装置インタフェース１３と、外部メモリインタフェース１４と、入力装置１５と、出力装置１６と、通信手段である無線通信回路１７と、半導体メモリ１８と、情報記録媒体２６を装着し、情報の記録再生を行う記録媒体記録再生部１９と、モニター出力回路２０と、プリンタ出力回路２１とが接続された構成となっている。
【００１２】
ここで、内部メモリ４は、ＣＰＵ３が制御を行うために用いるプログラムや各種データ、製造時に装置に付加されるＩＤ番号を格納するＲＯＭ及びＲＡＭよりなるものである。
【００１３】
また、外部制御装置インタフェース１３は、外部制御装置２４からの制御を可能とするものであり、外部メモリインタフェース１４はフロッピー（登録商標）ディスクメモリ装置又はＩＣメモリ装置等の外部メモリ２５との情報の送受を可能とするものである。入力装置１５は、本装置を単独で使用者が操作できるような構成を有しており、各種命令を入力するキーや画像情報や音声情報の取り込みのタイミングを入力する複数のスイッチ等により構成されている。
【００１４】
出力装置１６は、本装置に対して行った命令の内容や動作状態または情報の検索画面等をＣＰＵ３の制御の下で表示するものであり、例えば、情報記録媒体２６に格納された情報に基づいて図３に示すようなコンテンツリストを表示するようになっている。更に、コンテンツの再生時にはコンテンツの内容（静止画、動画、音声等）を表示出力するものである。
【００１５】
外部制御装置２４は、パーソナルコンピュータ等であり、本装置の画像情報及び音声情報の入出力を細かく制御することができる。また、記録媒体記録再生部１９に装着されている情報記録媒体２６に対して、コンテンツの送受信ができるようになっている。
【００１６】
ＣＰＵ３は、装置本体１の全体的な制御を行うものであり、また内部メモリ４に格納されたプログラムや各種データに基づいて情報の記録、再生や検索に係る動作制御を本装置の中心となって行うものである。
【００１７】
また、ＣＰＵ３は、通信手段である無線通信回路１７により外部の通信拠点と通信を行い、情報の送受を行う。本実施形態では、例えば、図２に示すようなテーマパークでの応用を想定しており、各アトラクションやレストラン等に外部の通信拠点があり、本実施形態の情報記録再生装置を携帯したユーザが、アトラクションやレストランを訪れた際に、それぞれの通信拠点と、通信手段である無線通信回路１７とが通信を行い、必要とする情報を得ることができる。
【００１８】
更に、ＣＰＵ３は、例えば、画像入力部６等の入力部より入力された音声及び画像情報のコンテンツを情報記録媒体２６に追記する記録機能を有する。また、ＣＰＵ３は、通信手段である無線通信回路１７を通じて得られた外部の通信拠点を訪れた時間、及び、入力部より得られたコンテンツを追記した時間を図４に示すようなコンテンツの再生順ファイルとして情報記録媒体２６に記録する。
【００１９】
画像入力部６は、結像系７及び光電変換部８等により構成され、画像入力コントローラ５に接続されて画像情報の入力を可能とするものである。尚、外部画像入力装置２２もこれと同様に画像情報の入力を可能とするものである。
【００２０】
音声入力コントローラ１０及び外部音声入力装置２３は、音声情報の入力を可能とするものである。
【００２１】
バッファメモリとしての半導体メモリ１８には、画像入力コントローラ５及び外部画像入力装置２２から得られる画像情報が圧縮され、デジタル信号として記録されるようになっている。また、半導体メモリ１８には、音声入力コントローラ１０や外部音声入力装置２３から得られる音声情報が画像情報と同様に圧縮された後、デジタル信号として記録される。
【００２２】
記録媒体記録再生部１９に装着された情報記録媒体２６には、媒体製造時に固有のＩＤ情報が記録されている。また、テーマパークを運営する業者はその情報記録媒体２６を媒体製造業者から購入した後、テーマパークのアトラクションに関するコンテンツ等を予め記録してユーザに販売する。その際、テーマパークを運営する業者がコンテンツを記録した情報記録媒体２６を管理するため、製造時のＩＤ情報とは別のＩＤ情報を情報記録媒体２６に記録してもよい。
【００２３】
また、この情報記録媒体２６には、画像入力コントローラ５及び外部画像入力装置２２から得られる画像情報や、音声入力コントローラ１０及び外部音声入力装置２３から得られる音声情報が記録される。尚、情報記録媒体２６に記録された画像情報及び音声情報は、モニター出力回路２０を経て外部モニター用ＴＶ２７等に出力したり、プリンタ出力回路２１を経てプリンタ２８に出力される。
【００２４】
このような情報記録媒体の例としては、光磁気メモリや相変化型メモリ等の光メモリであってもよいし、ハードディスクや大容量のフロッピー（登録商標）ディスクのような磁気メモリ、更にカード型の半導体メモリであってもよい。
【００２５】
更に、詳しく説明を続ける。図２は本実施形態の情報記録再生装置を使用する場合の応用例の一例として考えられるテーマパークを説明する図である。２９はテーマパークを示しており、ユーザがこのテーマパーク２９に入場すると、情報記録再生装置を借り受け、予め複数のコンテンツが記録されている情報記録媒体２６を購入する。この際、情報記録媒体２６にはテーマパーク２９の業者が固有のＩＤ情報を記録しておいてもよい。ユーザに貸し出した情報記録再生装置の製造時のＩＤ情報、情報記録媒体２６の製造時のＩＤ情報、テーマパーク業者が記録したＩＤ情報は図示しないテーマパーク２９の制御装置に登録される。
【００２６】
テーマパークには説明を簡単にするため、３０から３４に示すようにアトラクションＡからアトラクションＥと、３５のレストランαがあるものとする。それぞれに図示しない外部の通信拠点（通信装置）が設置されており、通信拠点での通信動作はネットワークを介してテーマパーク２９の管理室にある制御装置により管理されているものとする。
【００２７】
また、ユーザが購入した情報記録媒体２６に予め記録されているコンテンツは、図３に示すコンテンツリストのようになっているとする。即ち、Ｌ１に示すようにアトラクションＡ３０に関連するコンテンツとして映像コンテンツＡが記録されており、Ｌ２に示すようにアトラクションＢ３１に関連するコンテンツとして映像コンテンツＢが記録されており、Ｌ３に示すようにアトラクションＣ３２に関連するコンテンツとして静止画スライドショーと音声コンテンツＣが記録されている。また、Ｌ４に示すようにアトラクションＤ３３に関連するコンテンツとして映像コンテンツＤが記録されており、Ｌ５に示すようにアトラクションＥ３４に関連するコンテンツとしてドキュメントコンテンツＥが記録されているものとする。
【００２８】
Ｌ６からＬ９はユーザが購入後に情報記録媒体２６に追記したコンテンツである（詳しくは後述する）。
【００２９】
ユーザは購入した情報記録媒体２６を借り受けた情報記録再生装置に装着してテーマパーク２９内を思い思いに訪れる。まず、例えば、アトラクションＢ３１を訪れたとする。情報記録再生装置は図５に従ってアトラクションＢ３１の外部の通信手段と交信する。図５は情報記録再生装置と管理する側の制御装置との通信手順を示すフローチャートである。
【００３０】
まず、情報記録再生装置の通信手段である無線通信回路１７が通信動作を開始する（Ｓ１）。管理室にある制御装置では、各アトラクション等にある外部の通信手段を介して近づいてきた情報記録再生装置に対して通信の要求を送信している。情報記録再生装置は管理室にある制御装置から通信の要求があるか待ち受けている（Ｓ２）。通信の要求があると、通信相手が管理室にある制御装置であるか、予め決められた手順に従って認証を行う（Ｓ３）。即ち、通信要求を管理する側の制御装置が出しているのかを確認する。
【００３１】
次いで、その認証結果に基づいて通信相手が管理室にある制御装置であるか否かを判定し（Ｓ４）、通信相手が制御装置であった場合にはＳ５に進み、違った場合にはＳ２に戻り、再び管理室にある制御装置から通信の要求があるか待ち受ける。
【００３２】
通信相手が管理室にある制御装置であった場合には、情報記録再生装置はＩＤ情報を管理室にある制御装置に対して送信する（Ｓ５）。ＩＤ情報としては、例えば、製造時に付与された情報記録再生装置のＩＤ情報や情報記録媒体２６のＩＤ情報、またはテーマパーク業者が後から記録したＩＤ情報のいずれか一つ、或いは複数を情報記録再生装置は読み出して用いるものとする。
【００３３】
次いで、情報記録再生装置から送信されてきたＩＤ情報が、管理室にある制御装置に登録されたものであるか否かを判断し（Ｓ６）、登録されていればＳ７に進み、登録されていなければ、Ｓ１０に進んで通信動作を終了する。これによって、テーマパークが貸し出している情報記録再生装置以外の同様な装置との通信は行わないし、テーマパークで購入した情報記録媒体２６を装着していない情報記録再生装置とも通信を行わないようにすることが出来る。
【００３４】
認証が成功した場合には、管理室にある制御装置からデータが送信され、情報記録再生装置はそれを受信する（Ｓ７）。ここでの情報は、簡単のため、少なくとも位置情報（例えば、アトラクションＢ）と日時情報（例えば、２００３．１２．１５、ＡＭ１０：１５）が送られてくるものとする。他にも、天候情報（例えば、晴れ）や、アトラクション固有のコンテンツを送受信してもよい。
【００３５】
受信したデータは、情報記録媒体２６に図４に示すようにコンテンツの再生順ファイルとして記録される（Ｓ８）。アトラクションＢ３１で得たデータは、例えば、図４のＬ１０に示すように『アトラクションＢ：２００３．１２．１５、ＡＭ１０：１５、晴れ』として記録される。
【００３６】
記録が終了すると、続けて通信を行うのかを判定し（Ｓ９）、他のアトラクション等を訪れる際にはＳ２に戻り、新たな通信の要求を待ち受ける。テーマパークを出る場合にはＳ１０に進み、動作を終了する。
【００３７】
このように順次訪れたアトラクションの外部の通信手段から得られる情報を受信して、コンテンツの再生順ファイルに記録していく。その後、アトラクションＥ３４とアトラクションＣ３２を訪れ、Ｌ１２とＬ１５の情報を得たとする。
【００３８】
一方、本実施形態の情報記録再生装置は静止画や動画、ドキュメント等の情報をユーザが追記でき、それらのコンテンツは図３のＬ６からＬ９に示すようにコンテンツリストファイルに記録される。テーマパークにいる間に、図３のＬ６からＬ９に示すようなユーザコンテンツ１から４がユーザによって情報記録媒体２６に追記されたものとする。
【００３９】
つまり、ユーザコンテンツ１と２は画像入力手段６または外部画像入力装置２２によって取り込まれた静止画であり、ユーザコンテンツ３は無線通信回路１７を介して入手したドキュメント（ここでは、レストランのレシートを想定）であり、ユーザコンテンツ４は画像入力手段６または外部画像入力装置２２、及び、音声入力手段１１、または外部音声入力手段２３によって取り込まれた動画であるとする。
【００４０】
それぞれのユーザコンテンツの入力時の情報は、情報記録媒体２６のコンテンツの再生順ファイルに記録され、図５のＬ１１、Ｌ１３、Ｌ１４、Ｌ１６に示すようにユーザコンテンツ１の入力日時は『２００３．１２．１５、ＡＭ１０：３１』であり、ユーザコンテンツ２の入力日時は『２００３．１２．１５、AM１１：１５』であり、ユーザコンテンツ３の入力日時と場所は『２００３．１２．１５5、ＰＭ０：１５、レストランα』であり、ユーザコンテンツ４の入力日時は『２００３．１２．１５、ＰＭ２：０５』である。
【００４１】
一連の入力を終了し、ユーザがテーマパークを退園する際には、借り受けた情報記録再生装置を返却し、情報記録媒体２６を自宅に持ち帰る。ユーザは自宅にある情報記録再生装置と同等の情報記録再生装置で情報記録媒体２６を再生するのであるが、この際、従来の再生では図３に示すコンテンツリストの中から好みのコンテンツを選択し再生するものであった。
【００４２】
これに対し、本実施形態による図４のコンテンツの再生順ファイルに従って再生するモードについて図６のフローチャートを用いて説明する。まず、ユーザは持ち帰った情報記録媒体２６を上述の情報記録再生装置と同等の情報記録再生装置に装着して操作を開始する（Ｓ１１）。情報記録再生装置はユーザからの再生の要求を待ち受けている（Ｓ１２）。
【００４３】
再生の要求があると、再生のモードの表示をする（Ｓ１３）。ここでは、コンテンツリストから選択して再生するモードと、再生順ファイルに従って自動再生するモードがあるものとする。また、ここでの再生順ファイルは、テーマパーク２９で生成されたものとする。
【００４４】
次いで、Ｓ１４でユーザがコンテンツリストから選択して再生するモード、または再生順ファイルの自動再生のどちらを選択するかを待ち受ける。コンテンツリストから選択して再生するモードを選んだ場合はＳ１５へ進み、再生順ファイルの自動再生を選んだ場合はＳ２０に進む。
【００４５】
コンテンツリストから選択して再生するモードを選んだ場合には、Ｓ１５で図３に示すコンテンツリストを出力し、Ｓ１６でユーザがどのコンテンツを選択するか待ち受ける。
【００４６】
ユーザがコンテンツを選択すると、Ｓ１７に進み、その選択されたコンテンツに従って再生を始め、その後、Ｓ１８に進み、別のコンテンツの再生を続けるかどうかを待ち受ける。続ける場合には、Ｓ１５に戻って同様の処理を繰り返し行う。終了する場合にはＳ１９に進む。
【００４７】
一方、Ｓ１４でユーザが再生順ファイルの自動再生を選んだ場合には、Ｓ２０に進み、情報記録媒体２６に記録されている再生順ファイルを読み出し、データの日時情報の早い順からそれに対応したコンテンツを順次再生する。図４の再生順ファイルを例にとると、最初にＬ１０が最も日時情報が早いので、それに対応する図３のアトラクションＢの映像情報Ｂを再生し、次に図４の再生順ファイルのＬ１１の日時情報が早いのでそれに対応する図３のユーザコンテンツ１を再生する。
【００４８】
次いで、図４のＬ１２が日時情報が早いので、それに対応する図３のアトラクションＥのドキュメントＥを再生し、次に図４のＬ１３が日時情報が早いので、それに対応する図３のユーザコンテンツ２を再生する。以下、同様に日時情報の早い順に再生を行う。再生を終了するとＳ２１に進み、続けて再生するかどうかを待ち受ける。続ける場合にはＳ２０に戻り、終了する場合はＳ１９に進む。
【００４９】
以上、ここまでテーマパーク内で使用する場合の応用例について説明してきたが、本発明は、これに限ることなく、例えば、見本市等のイベント会場やスタンプラリ等のイベント、更には、名所旧跡等観光を目的とした応用等にも使用可能であることは言うまでもない。
【図面の簡単な説明】
【００５０】
【図１】本発明に係る情報記録再生装置の一実施形態を示すブロック図である。
【図２】テーマパークの一例を示す図である。
【図３】本発明に用いるコンテンツリストファイルの説明図である。
【図４】本発明に係る再生順ファイルの一例を示す説明図である。
【図５】本発明に係る情報記録再生装置と制御装置との通信手順を示す流れ図である。
【図６】本発明に係る再生モードの再生手順を示す流れ図である。
【符号の説明】
【００５１】
１  情報記録再生装置本体
２  バス
３  ＣＰＵ
４  内部メモリ
５  画像入力コントローラ
６  画像入力手段
７  結像系
８  光電変換部
９  画像情報圧縮伸張回路
１０  音声入力コントローラ
１１  音声入力手段
１２  音声情報圧縮伸張回路
１３  外部制御装置インタフェース
１４  外部メモリインタフェース
１５  入力装置
１６  出力装置
１７  無線通信回路
１８  半導体メモリ
１９  記録媒体記録再生部
２０  モニター出力回路
２１  プリンタ出力回路
２２  外部画像入力装置
２３  外部音声入力装置
２４  外部制御装置
２５  外部メモリ
２６  情報記録媒体
２７  ＴＶモニター
２８  プリンタ
【図１】
2005276392.tif 000003
【図２】
2005276392.tif 000004
【図３】
2005276392.tif 000005
【図４】
2005276392.tif 000006
【図５】
2005276392.tif 000007
【図６】
2005276392.tif 000008